(57)【要約】【課題】文化財などの保存対象物を劣化させる大きな要因である外部の湿度変化に対して保存ケース内部の湿度変化を緩和させることができ、且つ外部の温度変化に対して保存ケース内部の加圧状態・減圧状態の繰り返しを防止できるようにする。【解決手段】箱本体４に有している通気性を有しないアルミニウム箔４ｃと蓋体８に有している通気性を有しないアルミニウム箔８ｃとの間に通気性を有する桐材８ｂを有し、保存ケース２の外部と保存ケース２の内部との通気は桐材８ｂの内部を介してのみ行なわれる。【選択図】図１
0003111650.tif 000002
【実用新案登録請求の範囲】
【請求項１】
開口部を有する箱本体と、
前記箱本体の開口部を閉じる蓋体と、
を備える保存ケースであって、
前記箱本体と前記蓋体はそれぞれ通気性を有しない非通気層を有し、
前記箱本体の開口部を蓋体で閉じた状態における前記箱本体と前記蓋体との間に、通気性を有する通気部材を有し、
もしくは前記箱本体と前記蓋体の少なくともいずれか一方は前記箱本体の非通気層と前記蓋体の非通気層との間に、通気性を有する通気層を有していることを特徴とする保存ケース。
【請求項２】
請求項１に記載の保存ケースにおいて、
前記箱本体に１つ以上の調湿剤を収納することを特徴とする保存ケース。
【請求項３】
請求項２に記載の保存ケースにおいて、
前記箱本体は、通気性を有し且つ前記箱本体に収納される前記調湿剤と前記箱本体に収納される保存対象物との接触防止可能な接触防止部材を有することを特徴とする保存ケース。
【請求項４】
請求項１〜請求項３のいずれかに記載の保存ケースにおいて、
前記箱本体の開口部を蓋体で閉じた状態の形状が略直方体の保存ケースで６面に相当する部位全てに通気性を有しない非通気層を有することを特徴とする保存ケース。
【請求項５】
請求項１〜請求項４のいずれかに記載の保存ケースにおいて、
前記箱本体の開口部に前記蓋体を圧接させる圧接手段を有することを特徴とする保存ケース。
【請求項６】
請求項１〜請求項５のいずれかに記載の保存ケースにおいて、
前記通気性を有しない非通気層は金属からなることを特徴とする保存ケース。
【請求項７】
請求項６に記載の保存ケースにおいて、
前記金属はアルミニウム板もしくはアルミニウム箔であることを特徴とする保存ケース。
【請求項８】
請求項１〜請求項５のいずれかに記載の保存ケースにおいて、
前記通気性を有しない非通気層は合成樹脂からなることを特徴とする保存ケース。
【考案の詳細な説明】
【技術分野】
【０００１】
本考案は、掛け軸、古文書、屏風、仏像、油絵、彫刻などの文化財などの保存対象物を品質良好な状態で保存し得る保存ケースに関する。
【背景技術】
【０００２】
従来、美術館・博物館などでは、文化財などの保存対象物を収蔵庫で保管している。このような収蔵庫では収蔵庫内の温度・湿度を管理している。
しかし、このような温度・湿度を管理された収蔵庫に文化財などの保存対象物を保管できない場合、例えば桐の二重箱のような保存ケースで文化財などの保存対象物を保存し、少しでも外部の湿度変化に対して内部の湿度変化を緩和させるようにしているのが現状である。
【０００３】
また、金属や合成樹脂等の材料で一体に形成された箱体に気密状態を維持して掛け軸等の文化財の保存対象物を収納する調湿箱体（例えば特許文献１参照）のような保存ケースがある。
【特許文献１】実用新案登録第２５３０２４２号公報
【考案の開示】
【考案が解決しようとする課題】
【０００４】
しかし、このような保存ケースにおいては、つぎのような問題があった。
例えば桐の二重箱のような保存ケースの場合には、保存ケース内部は外部との通気によって外部の湿度に近づいてしまう。したがって、保存ケース内部の文化財などの保存対象物は外部の湿度と同等の環境状態に晒されることとなり、文化財などの保存対象物に悪影響を及ぼす危険がある。例えば数日間、外部の湿度が高湿度もしくは低湿度など予想外の状態が続くと外部と保存ケース内部の湿度がほぼ同等に近づくことが知られている。
【０００５】
一方、金属や合成樹脂等の材料で一体に形成された保存ケースの場合には、気密状態を維持し調湿剤を使用することにより保存ケース内部の湿度変化をより小さくできる。しかし、外部の温度変化によって保存ケース内部の空気の膨張・収縮が発生する。したがって、保存ケース内部は加圧状態や減圧状態が繰り返され、保存ケース内部に収納されている文化財などの保存対象物に悪影響を及ぼす危険がある。
【０００６】
本考案は、このような不具合に鑑みなされたものであり、上述のような保存ケースにおいて、文化財などの保存対象物を劣化させる大きな要因である外部の湿度変化に対して保存ケース内部の湿度変化を緩和させることができ、且つ外部の温度変化に対して保存ケース内部の加圧状態・減圧状態の繰り返しを防止できるようにすることを目的とする。
【課題を解決するための手段】
【０００７】
上述した問題点を解決するためになされた本考案の保存ケース（２：なお、この欄においては、考案に対する理解を容易にするため、必要に応じて「考案を実施するための最良の形態」欄において説明した構成要素を括弧内に示すが、この記載によって実用新案登録請求の範囲を限定することを意味するものではない。）は、開口部（６）を有する箱本体（４）と、箱本体（４）の開口部を閉じる蓋体（８）と、を備えている。
【０００８】
ここで、箱本体（４）は１つの開口部（６）に限らず、２つ以上の開口部（６）を有していても良い。
そして、保存ケース（２）の箱本体（４）と蓋体（８）はそれぞれ通気性を有しない非通気層（４ｃ，８ｃ）を有している。また、保存ケース（２）の箱本体（４）の開口部（６）を蓋体（８）で閉じた状態における箱本体（４）と蓋体（８）との間に、通気性を有する通気部材（８ｂ）を有するか、もしくは箱本体（４）と蓋体（８）の少なくともいずれか一方は箱本体（４）の非通気層（４ｃ）と蓋体（８）の非通気層（８ｃ）との間に、通気性を有する通気層（８ｂ）を有している。
【０００９】
上述のように、本考案によれば、保存ケース（２）の箱本体（４）と蓋体（８）はそれぞれ通気性を有しない非通気層（４ｃ，８ｃ）を箱本体（４）と蓋体（８）の全部もしくは一部に有している。例えば略直方体の保存ケース（２）の場合には、４つの側部と上部と底部との全てに通気性を有しない非通気層（４ｃ，８ｃ）を有しても良いし、底部を除いて４つの側部と上部とに通気性を有しない非通気層（４ｃ，８ｃ）を有していても良い。
【００１０】
なお、非通気層の割合が多いほど湿度変化を緩和できる度合いが大きくなる。よって、例えば略直方体の保存ケース（２）の場合には、請求項４に示すように６面に相当する部位全てに通気性を有しない非通気層（４ｃ，８ｃ）を有する保存ケース（２）の方が湿度変化を緩和できる度合いが大きい。
【００１１】
このように、湿度変化を緩和できる度合いが大きいほど、外部の湿度変化に対して保存ケース（２）内部の湿度変化を緩和できるので箱本体（４）に収納される文化財などの保存対象物に悪影響を及ぼす危険を回避できる。
【００１２】
このように構成された保存ケース（２）は湿度管理が望まれる掛け軸、古文書、屏風、仏像、油絵、彫刻他の文化財などの保存対象物の保存に適している。
次に、本考案によれば、保存ケース（２）は、箱本体（４）の開口部（６）を蓋体（８）で閉じた状態における箱本体（４）と蓋体（８）との間に、通気性を有する通気部材（８ｂ）を有している。もしくは箱本体（４）と蓋体（８）の少なくともいずれか一方は箱本体（４）の非通気層（４ｃ）と蓋体（８）の非通気層（８ｃ）との間に、通気性を有する通気層（８ｂ）を有している。ここで、「通気性を有する通気部材（８ｂ）」とは、意図的な空間や間隙を設けた部材は含まず、例えば木材などの内部にミクロな空間を有する部材をいう。また、「通気性を有する通気層（８ｂ）」についても同様である。
【００１３】
このような構成を有するので、保存ケース（２）内部の気密状態を防ぐことができ、外部の温度変化による保存ケース（２）内部の加圧状態・減圧状態の繰り返しを防止できる。したがって、外部の温度変化による保存ケース（２）内部の加圧状態・減圧状態の繰り返しによる文化財などの保存対象物の損傷及び保存ケース（２）の破損も防止できる。保存ケース（２）破損による箱本体（４）に収納される文化財などの保存対象物の損傷や外部の環境状態に晒されて悪影響を及ぼす危険を回避できる。
【００１４】
ここで、外部の温度変化による保存ケース（２）内部の加圧状態・減圧状態の繰り返しによる文化財などの保存対象物の損傷発生の過程について説明する。例えば紙もしくは絹に顔料などを含んだ絵の具や墨類で描いた絵画はその原料、素材の種類によって加圧状態による収縮率と減圧状態による膨張率が異なる。そのため、絵画自体に内部応力が生じる。そして、絵画自体に生じた内部応力によって、絵画に亀裂等の損傷が発生する。したがって、外部の温度変化による保存ケース（２）内部の加圧状態・減圧状態の繰り返しによって文化財などの保存対象物が損傷を受ける可能性がある。
【００１５】
なお、上述のように箱本体（４）と蓋体（８）との間に、通気性を有する通気部材（８ｂ）を有する場合は、箱本体（４）と蓋体（８）の間に通気部材（８ｂ）を組み込む必要がある。しかし、箱本体（４）の非通気層（４ｃ）と蓋体（８）の非通気層（８ｃ）との間に、通気性を有する通気層（８ｂ）を有している場合は、前記のように通気部材（８ｂ）を箱本体（４）と蓋体（８）の間に、組み込む手間を省くことができる。
【００１６】
また、外部の湿度変化に対して保存ケース（２）内部の湿度変化をより一層緩和させるためには請求項２に示すように、保存ケース（２）の箱本体（４）に所定の相対湿度に調整された１つ以上の調湿剤（１４ａ，１４ｂ）を収納すると良い。所定の相対湿度に調整された１つ以上の調湿剤（１４ａ，１４ｂ）は保存ケース内部の湿度を調整された所定の相対湿度に保つように作用する。なお、完全に気密状態を維持することのできない保存ケース（２）の場合には、たとえ初期状態で所定の相対湿度に保つよう調整されていたとしても、保存ケース（２）内部の湿度は外部の湿度変化により使用時間とともに変化するので調湿剤（１４ａ，１４ｂ）の交換が必要となる。
【００１７】
ここで、保存ケース（２）内部の湿度は湿度計もしくは湿度が表示されるインジケーターカードを保存ケース（２）内に入れて確認できる。そして、保存ケース（２）内の湿度が当初設定された湿度よりずれてきた場合、調湿剤（１４ａ，１４ｂ）の交換を行なえば、何度でも繰り返して使用できる。
【００１８】
なお、保存ケース（２）の箱本体（４）に所定の相対湿度に調整された１つ以上の調湿剤（１４ａ，１４ｂ）を収納すると良いと説明したが、調湿剤（１４ａ，１４ｂ）を文化財などの保存対象物と分けて収納するのであれば例えば請求項３に示すように、通気性（１６ａ〜１６ｅ，１８ａ〜１８ｅ）を有する接触防止部材（１６，１８）を有することが好ましい。この場合の「通気性（１６ａ〜１６ｅ，１８ａ〜１８ｅ）を有する接触防止部材（１６，１８）」とは、上述した「通気性を有する通気部材（４ａ，４ｂ，８ｂ）」とは異なり、積極的な通気構造を設けた部材をいう。すなわち「通気性（１６ａ〜１６ｅ，１８ａ〜１８ｅ）を有する接触防止部材（１６，１８）」とは、意図的な空間や間隙を設けた部材を含み、例えば１つ以上の通気穴や網目状の穴などを有する部材をいい、文化財などの保存対象物と調湿剤（１４ａ，１４ｂ）を分けて収納することができる部材をいう。保存ケース（２）に収納される文化財などの保存対象物は調湿剤（１４ａ，１４ｂ）により調湿されながら、接触防止部材（１６，１８）によって調湿剤（１４ａ，１４ｂ）とを分けて収納する。
【００１９】
なお、上述した保存ケース（２）において、外部の湿度変化に対して保存ケース（２）内部の湿度変化を緩和させる効果を高めるためには、以下の点が重要である。すなわち、外部と保存ケース（２）内部との通気を箱本体（４）と蓋体（８）との間に有している通気部材（８ｂ）に限るという点である。また、外部と保存ケース（２）内部との通気を箱本体（４）の非通気層（４ｃ）と蓋体（８）の非通気層（８ｃ）との間に有する通気層（８ｂ）に限るという点である。
【００２０】
そこで、請求項５に示すように、保存ケース（２）は、箱本体（４）の開口部（６）の周縁（６ａ）に蓋体（８）を圧接させる圧接手段（２０ａ，２０ｂ）を有することが好ましい。すなわち、箱本体（４）の開口部（６）の周縁（６ａ）に蓋体（８）を圧接させることによって、箱本体（４）と蓋体（８）の間で空間や間隙が発生することを防止できる。よって、外部の湿度変化に対して保存ケース（２）内部の湿度変化を緩和させる効果を高めることができる。
【００２１】
また、保存ケース（２）の箱本体（４）と蓋体（８）にそれぞれ有している非通気層（４ｃ，８ｃ）を形成する素材は種々考えられるが、例えば請求項６に示すように、金属（４ｃ，８ｃ）によって非通気層（４ｃ，８ｃ）を形成することが好ましい。金属（４ｃ，８ｃ）は、通気性を有しなく、加工が容易だからである。
【００２２】
この金属（４ｃ，８ｃ）についても種々考えられるが、例えば請求項７に示すように、アルミニウム板（４ｃ，８ｃ）もしくはアルミニウム箔（４ｃ，８ｃ）であることが一層好ましい。
【００２３】
この説明でも分かるように金属（４ｃ，８ｃ）といっても高い剛性が要求されるのではなく、アルミニウム箔（４ｃ，８ｃ）でもよいし、薄いアルミニウム板（４ｃ，８ｃ）でもよい。要は通気性を有しない非通気層（４ｃ，８ｃ）を形成できればよい。
【００２４】
また、請求項８に示すように、合成樹脂（４ｃ，８ｃ）によって非通気層（４ｃ，８ｃ）を形成してもよい。合成樹脂（４ｃ，８ｃ）は、通気性を有しなく、腐食性や軽さに優れ、量産化にも対応できる。
【考案を実施するための最良の形態】
【００２５】
以下、本考案が適用された実施形態を図面とともに説明する。なお、本考案の実施の形態は、下記の実施例に何ら限定されることなく、本考案の技術的範囲に属する限り種々の形態を採りうることは言うまでもない。
【００２６】
［構成の説明］
図１（ａ）は本実施形態の保存ケースにおいて、調湿剤と仕切り板を収納した箱本体と蓋体を示す斜視図であり、（ｂ）は本実施形態の保存ケースにおいて、弾性ベルトを装着した全体を示す斜視図であり、（ｃ）は（ｂ）のＡ−Ａ線における断面図である。
【００２７】
図１（ａ）に示すように保存ケース２は、箱本体４と、２つの調湿剤１４ａ，１４ｂと、２つの仕切り板１６，１８と、蓋体８とを備えている。
箱本体４は、略直方体で４つの側部４０１〜４０４と底部４０５と開口部６を有している。そして、４つの側部４０１〜４０４は、２つの短辺側部４０１，４０２と２つの長辺側部４０３，４０４から形成されている。
【００２８】
箱本体４の４つの側部４０１〜４０４と底部４０５は、桐材４ａ，４ｂでアルミニウム箔４ｃを挟み込んだ板材で形成されている。ここで、桐材４ａ，４ｂが通気性を有する通気部材もしくは通気性を有する通気層に該当し、アルミニウム箔４ｃが通気性を有しない非通気層に該当する
蓋体８は、箱品体４と同様の構成で箱本体４の４つの側部４０１〜４０４の外側に被せられる大きさに設定されている。すなわち、蓋体８は、略直方体で４つの側部８０１〜８０４と上部８０５と開口部８０６を有している。そして、４つの側部８０１〜８０４は、２つの短辺側部８０１，８０２と２つの長辺側部８０３，８０４から形成されている。
【００２９】
蓋体８の４つの側部８０１〜８０４と上部８０５は、桐材８ａ，８ｂでアルミニウム箔８ｃを挟み込んだ板材で形成されている。ここで、桐材８ａ，８ｂが通気性を有する通気部材もしくは通気性を有する通気層に該当し、アルミニウム箔８ｃが通気性を有しない非通気層に該当する。
【００３０】
上述のように、蓋体８は箱本体４の４つの側部４０１〜４０４の外側に被せられる大きさに設定されているが、被せた状態で箱本体４の外周面と蓋体８の内周面との隙間が小さく設定されている方がよい。そして、蓋体８の上部８０５の内面から上部８０５の内面に垂直に４つの側部８０１〜８０４の先端までの距離は、箱本体４の底部４０５の外面から底部４０５の外面に垂直に４つの側部４０１〜４０４の先端までの距離よりやや短く設定されている。
【００３１】
蓋体８と箱本体４とは以上のように構成されているので、箱本体４の開口部６を蓋体８で閉じると、図１（ｃ）に示すように保存ケース２の外部と保存ケース２の内部との通気は桐材８ｂの内部のみ介して行なわれる。
【００３２】
また、箱本体４は２つの仕切り板１６，１８を収納している。仕切り板１６，１８は、長方形の桐材で形成されている。そして、仕切り板１６，１８の外形は箱本体４の２つの短辺側部４０１，４０２に平行に箱本体４の内側を切断する断面形状とほぼ等しく箱本体４に収納できるように設定されている。また、仕切り板１６は、板厚方向に通気穴１６ａ〜１６ｅを有し、仕切り板１８は、板厚方向に通気穴１８ａ〜１８ｅを有している。
【００３３】
そして、仕切り板１６の通気穴１６ａ〜１６ｅの穴径は箱本体４に収納される文化財などの保存対象物と調湿剤１４ａとの通気が所定の通気量を越えられる大きさに設定される。そして仕切り板１６の板厚は、箱本体４に収納される調湿剤１４ａと文化材などの保存対象物とを分けて収納できる剛性を有する厚さに設定される。仕切り板１８の通気穴１８ａ〜１８ｅと板厚も同様に設定される。なお、仕切り板１６は箱本体４の短辺側部４０１の内面に平行して調湿剤１４ａを収納できる距離隔てた位置に設定される。そして仕切り板１６は箱本体４に固着されている。仕切り板１８は箱本体４の短辺側部４０２の内面に平行して調湿剤１４ｂを収納できる距離隔てた位置に設定される。そして仕切り板１８は箱本体４に固着されている。ここで、仕切り板１６，１８が調湿剤１４ａ，１４ｂと箱本体に収納される保存対象物との接触防止可能な接触防止部材に該当する。
【００３４】
なお、仕切り板１６，１８は、上記では箱本体４に固着されていたが、これには限らない。例えば仕切り板１６，１８の外形寸法は箱本体４の２つの短辺側部４０１，４０２に平行に箱本体４の内側を切断する断面形状より長辺側部４０３と長辺側部４０４との方向に若干大きくして、仕切り板１６，１８の大きさに合うように箱本体４の２つの長辺側部４０３，４０４に溝を設けて嵌め込む構造としてもよい。
【００３５】
箱本体４の大きさは、箱本体４に収納される文化財などの保存対象物の大きさと文化財などの保存対象物を調湿するために適切な調湿剤１４ａ，１４ｂの大きさと仕切り板１６，１８の大きさとを考慮して設定される。なお、文化財などの保存対象物を調湿するために適切な大きさは、調湿剤１４ａ，１４ｂの重量に関係するが、文化財などの保存対象物を調湿するために適切な調湿剤１４ａ，１４ｂの重量については、［実験結果の説明］にて後述する。
【００３６】
したがって、この仕切り板１６と仕切り板１８の間に収納された図示されない文化財などの保存対象物は仕切り板１６の通気穴１６ａ〜１６ｅを通して調湿剤１４ａによって調湿され、さらに仕切り板１８の通気穴１８ａ〜１８ｅを通して調湿剤１４ｂによって調湿される。ここでは、仕切り板１６，１８と調湿剤１４ａ，１４ｂを２組収納したが、どちらか１組でもよい。また、複数の仕切り板を設けて調湿剤と文化財などの保存対象物を交互に収納してもよい。なお、複数の仕切り板を設ける場合には、箱本体４の２つの短辺側部４０１，４０２の内面とそれぞれの仕切り板１６，１８の間に調湿剤１４ａ，１４ｂをそれぞれ収納するのが好ましい。また、仕切り板１６，１８によって文化財などの保存対象物と調湿剤１４ａ，１４ｂとを分けて収納できる。
【００３７】
ここで、調湿剤１４ａ，１４ｂは、例えば成分中９５％が二酸化ケイ素である玉状のもので、通気性を有する袋体に所定量収納されている。具体的には、アートソーブ（富士シリシア化学株式会社商品名）として市販されている。
【００３８】
そして、図１（ｂ）に示すように、箱本体４の開口部６を蓋体８で閉じた後に２つの輪状の弾性ベルト２０ａ，２０ｂが取り付けられる。ここで、上述したように蓋体８の上部８０５の内面から上部８０５の内面に垂直に４つの側部８０１〜８０４の先端までの距離は、箱本体４の底部４０５の外面から底部４０５の外面に垂直に４つの側部４０１〜４０４の先端までの距離より短く設定されているので、箱本体４の開口部６の周縁６ａに蓋体８を圧接させることができる。つまり、箱本体４と蓋体８の間で空間や間隙が発生することを防止できる。ここで、２つの弾性ベルト２０ａ，２０ｂが箱本体４の開口部６に蓋体８を圧接させる圧接手段に該当する
したがって、上述した保存ケース２の外部と保存ケース２の内部との通気は桐材８ｂの内部を介してのみに限られ、外部の湿度変化に対して保存ケース２の内部の湿度変化を緩和させる効果を高めることができる。
【００３９】
［使用方法の説明］
次に、この保存ケース２の使用方法を説明する。
まず、箱本体４の２つの短辺側部４０１，４０２の内面とそれぞれの仕切り板１６，１８の間に調湿剤１４ａ，１４ｂをそれぞれ収納する。
【００４０】
そして、文化財などの保存対象物（図示せず）を２つの仕切り板１６と１８との間に収納する。収納の際、文化財などの保存対象物を図示しない支持部材や緩衝部材によって安定な状態に保存することもできる。これは、保存ケース２の持ち運びや輸送時など、文化財などの保存対象物が箱本体４の中で、転がったり、転倒したりして損傷することを防止するために有効である。
【００４１】
文化財などの保存対象物を収納したら、箱本体４の開口部６を閉じるように蓋体８を被せる。そして、箱本体４の開口部６の周縁６ａを蓋体８の内側で圧接するための２つの弾性ベルト２０ａ，２０ｂを取り付ける。すなわち、箱本体４の開口部６の周縁６ａに蓋体８を圧接させることによって、箱本体４の開口部６の周縁６ａと蓋体８の内側に空間や間隙が発生するのを防止できる。
【００４２】
なお、ここで、保存ケース２の内部の湿度は湿度計もしくは湿度が表示されるインジケーターカードを保存ケース２の内部に入れて確認できる。そして、保存ケース２の内部の湿度が当初設定された湿度よりずれてきた場合、上記手順と逆の手順にて、弾性ベルト２０ａ，２０ｂを取り外し、蓋体８を箱本体４から引き離せば、保存ケース２の内部に収納されている調湿剤１４ａ，１４ｂを交換することができる。そして、何度でも繰り返して使用できるので、文化財などの保存対象物を品質良好な状態で長期間保存することができる。
【００４３】
［実験結果の説明］
次に、保存ケース２の調湿効果について図２に示す実験結果を基に説明する。
図２（ａ）は本実施形態の保存ケース２において、相対湿度６０％ＲＨに調整されている調湿剤１４ａ，１４ｂを４０ｇ，６０ｇ収納した場合と、桐箱のみの場合の経過日数に対する湿度変化を示す図であり、（ｂ）は本実施形態の保存ケース２において、相対湿度６０％ＲＨに調整されている調湿剤１４ａ，１４ｂを１００ｇ，１６０ｇ収納した場合と、桐箱のみの場合の経過日数に対する湿度変化を示す図である。
【００４４】
図２（ａ）に示すように外気の相対湿度８０ＲＨ％では、桐箱のみの場合、数日の経過時点で桐箱内部の相対湿度は外気の相対湿度８０％ＲＨにほぼ等しくなっている。しかし、保存ケース２に相対湿度６０％ＲＨに調整されている調湿剤１４ａ，１４ｂを４０ｇ，６０ｇ収納した場合、３０日経過時点で保存ケース２内部の相対湿度は約相対湿度７４％であり、相対湿度８０％ＲＨに到達していないことを示している。なお、図２（ａ）において、「調湿剤４０ｇ」とは調湿剤１４ａと調湿剤１４ｂとを合計した重量である。「調湿剤６０ｇ」についても同様である。
【００４５】
また、図２（ａ）に示すように外気の相対湿度４０ＲＨ％では、桐箱のみの場合、１０日以前の経過時点で桐箱内部の相対湿度は外気の相対湿度４０％ＲＨにほぼ等しくなっている。しかし、保存ケース２に相対湿度６０％ＲＨに調整されている調湿剤１４ａ，１４ｂを４０ｇ，６０ｇ収納した場合、３０日経過時点で保存ケース２内部の相対湿度は約相対湿度４６％であり、相対湿度４０％ＲＨに到達していないことを示している。
【００４６】
さらに、図２（ｂ）では、保存ケース２に収納される調湿剤１４ａ，１４ｂの重量を（ａ）に比べて増加した場合の調湿効果を示している。図２（ｂ）に示すように外気の相対湿度８０ＲＨ％では、桐箱のみの場合、数日の経過時点で桐箱内部の相対湿度は外気の相対湿度８０％ＲＨにほぼ等しくなっている。しかし、保存ケース２に相対湿度６０％ＲＨに調整されている調湿剤１４ａ，１４ｂを１００ｇ，１６０ｇ収納した場合、３０日経過時点で保存ケース２内部の相対湿度は約相対湿度７１％であり、相対湿度８０％ＲＨに到達していないことを示している。なお、図３（ｂ）において、「調湿剤１００ｇ」とは調湿剤１４ａと調湿剤１４ｂとを合計した重量である。「調湿剤１６０ｇ」についても同様である。
【００４７】
また、図２（ｂ）に示すように外気の相対湿度３０ＲＨ％では、桐箱のみの場合、１０日以前の経過時点で桐箱内部の相対湿度は外気の相対湿度３０％ＲＨにほぼ等しくなっている。しかし、保存ケース２に相対湿度６０％ＲＨに調整されている調湿剤１４ａ，１４ｂを１００ｇ収納した場合、３０日経過時点で保存ケース２内部の相対湿度は約相対湿度４１％であり、相対湿度３０％ＲＨに到達していないことを示している。また、保存ケース２に相対湿度６０％ＲＨに調整されている調湿剤１４ａ，１４ｂを１６０ｇ収納した場合、３０日経過時点で保存ケース２内部の相対湿度は約相対湿度４４％であり、相対湿度３０％ＲＨに到達していないことを示している。
【００４８】
この実験結果は、保存ケース２に収納される調湿剤１４ａ，１４ｂの重量が増せば調湿効果が高まり、調湿剤１４ａ，１４ｂの重量によって調湿効果に違いのあることを示している。
【００４９】
すなわち保存ケース２に収納される文化財などの保存対象物の大きさや重量、調湿剤１４ａ，１４ｂの交換周期に応じて、適切な調湿剤１４ａ，１４ｂの重量を設定すればよい。
【００５０】
［効果の説明］
（１）従来の例えば桐の二重箱のような保存ケースの場合には、保存ケース内部は外部との通気によって外部の湿度に近づいてしまい、金属や合成樹脂等の材料で一体に形成された保存ケースの場合には、外部の温度変化によって保存ケース内部の空気の膨張・収縮が発生し、保存ケース内部に収納されている文化財などの保存対象物に悪影響を及ぼす危険があった。
【００５１】
それに対して、保存ケース２は、箱本体４の開口部６を蓋体８で閉じると、箱本体４に有している通気性を有しないアルミニウム箔４ｃと蓋体８に有している通気性を有しないアルミニウム箔８ｃとの間に通気性を有する桐材８ｂを有する構成となり、保存ケース２の外部と保存ケース２の内部との通気は桐材８ｂの内部を介してのみ行なわれる。よって文化財などの保存対象物を劣化させる大きな要因である外部の湿度変化に対して保存ケース２内部の湿度変化を緩和させることができ、且つ外部の温度変化に対して保存ケース２内部の加圧状態・減圧状態の繰り返しを防止できる。
【００５２】
（２）また、箱本体２の２つの短辺側部４０１，４０２の内面側に通気穴１６ａ〜１６ｅを有する仕切り板１６，通気穴１８ａ〜１８ｅを有する仕切り板１８が設けられ、この仕切り板１６と箱本体４の短辺側部４０１との間に調湿剤１４ａが収納され、仕切り板１８と箱本体４の短辺側部４０２との間に調湿剤１４ｂが収納されている。よって、外部の湿度変化に対して保存ケース２内部の湿度変化をより一層緩和させることができ、且つ湿度を調整された所定の相対湿度に保つように作用するので、文化財などの保存対象物を品質良好な状態で長期間保存することができる。
【００５３】
（３）弾性ベルト２０ａ，２０ｂによって箱本体４の開口部６の周縁６ａを蓋体８で圧接させることができるので、箱本体４と蓋体８の間で空間や間隙が発生することを防止できる。よって、上述した保存ケース２の外部と保存ケース２の内部との通気は桐材８ｂの内部を介してのみに限られ、外部の湿度変化に対して保存ケース２の内部の湿度変化を緩和させる効果を高めることができる。
【００５４】
［他の実施形態］
以上、本考案の実施形態について説明したが、本考案は上記実施形態に限定されるものではなく、以下のような様々の態様にて実施することが可能である。
【００５５】
（１）調湿剤の設置位置のバリエーション
上記実施形態では、箱本体４の２つの短辺側部４０１，４０２の内面とそれぞれの仕切り板１６，１８の間に調湿剤１４ａ，１４ｂがそれぞれ収納されていたが、これには限らない。図３（ａ），（ｃ）に示すように箱本体４の４側部のうち１つの長辺側部４０４の内面と仕切り板１９の間に調湿剤１４ｃ〜１４ｆが収納されていてもよいし、図示されない対面側の長辺側部４０３の内面側に収納されていてもよいし、２つの長辺側部４０３，４０４の内面側でもよいし、全側部の内面側に収納されていてもよい。また、箱本体４の長辺側部４０３，４０４に平行して複数の仕切り板を設けて調湿剤と文化財などの保存対象物を交互に収納してもよい。なお、複数の仕切り板を設ける場合には、箱本体４の２つの長辺側部４０１，４０２の内面とそれぞれの仕切り板の間に調湿剤をそれぞれ収納するのが好ましい。このような保存ケース２は、長手方向に均等に調湿されるので、長尺形状の文化財などの保存対象物や縦置きできる薄板形状の文化財などの保存対象物を保存するのに適している。
【００５６】
また、図４（ａ），（ｃ）に示すように調湿剤１４ｈを箱本体４の底部４０５の内面と仕切り板２３の間に調湿剤１４ｈが収納されていてもよいし、図示されない対面側の蓋体８の内面側に収納されていてもよいし、箱本体４の底部４０５と蓋体８の内面側の両方に収納されていてもよいし、取り外し可能な複数の仕切り板を設けて調湿剤と文化財などの保存対象物を交互に収納してもよい。なお、取り外し可能な複数の仕切り板を設ける場合には、箱本体４の底部４０５の内面と仕切り板２３の間と蓋体８の内面側に調湿剤を収納するのが好ましい。このような保存ケース２は、薄板形状で縦置きできない文化財などの保存対象物の保存に適している。
【００５７】
（２）非通気層の素材のバリエーション
上記実施形態では、箱本体４の通気性を有しない非通気層４ｃと蓋体８の通気性を有しない非通気層８ｃはともにアルミニウム箔４ｃ，８ｃであったが、これには限らない。ステンレス製やジュラルミン製の薄板、もしくは鉄板に防錆処理を施した薄板などいわゆる面状部材であればよい。また、合成樹脂４ｃ，８ｃによって非通気層を形成してもよい。合成樹脂４ｃ，８ｃは、通気性を有しなく、腐食性や軽さに優れ、量産化にも適している。
【００５８】
（３）桐材のバリエーション
上記実施形態では、箱本体４の通気性を有する通気層４ａ，４ｂと蓋体８の通気性を有する通気層８ａ，８ｂは桐材４ａ，４ｂ，８ａ，８ｂであったが、これには限らない。木材としては杉材や檜材などでもよいし、木材以外では中性紙などでもよいし、これらを組み合わせた素材でもよい。
【００５９】
（４）弾性ベルト機能のバリエーション
上記実施形態では箱本体４の開口部６の周縁６ａを蓋体８で圧接するための圧接手段として２つの弾性ベルト２０ａ，２０ｂが具備されていたが、これには限らない。例えば布製やゴム製のバンドでもよいし、紐で縛ってもよい。
【００６０】
（５）保存ケース形状のバリエーション
上記実施形態では、保存ケース２の形状が略直方体であったが、これには限らない。保存ケース２の形状は、円筒型、多面体型、球体など様々な形状でもよい。また、上記実施形態では、箱本体４の開口部６は１つであったが、２つ以上あってもよい。
【００６１】
（６）通気層、非通気層の最小構成のバリエーション
上記実施形態では、箱本体４は桐材４ａ＋アルミニウム箔４ｃ＋桐材４ｂの３層で形成され、蓋体８も、桐材８ａ＋アルミニウム箔８ｃ＋桐材８ｂの３層で形成されていたが、これには限らない。少なくとも、箱本体４と蓋体８はそれぞれ通気性を有しない非通気層を１層以上有し、且つ箱本体４と蓋体８のいずれか一方は通気性を有する通気層を１層以上有していればよい。すなわち、図５（ｂ）に示すように、箱本体４は、通気性を有しない非通気層例えばアルミニウム板４ｃで形成され、蓋体８は、通気性を有する通気層例えば桐材８ｂと通気性を有しない非通気層例えばアルミニウム板８ｃを重ねた板材で形成されていてもよい。なお、図５（ｃ）に示すように、蓋体８の通気性を有する通気層例えば桐材８ｂは、箱本体４との間にのみ有する形状としてもよい。図５（ａ），（ｂ）に示す蓋体８の通気性を有する通気層例えば桐材８ｂは、通気性を有しない非通気層例えばアルミニウム板８ｃと一体で形成してもよいし、分離できる別部材としてもよい。このような保存ケース２は、箱本体４と蓋体８の外部がアルミニウ板４ｃ，８ｃで形成されるので、桐材４ａ，８ｂと比較すれば、外部は強固で、傷つきにくい。
【００６２】
また、図５（ｄ）に示すように、箱本体４は、通気性を有する通気層例えば桐材４ａと通気性を有しない非通気層例えばアルミニウム板４ｃを重ねた板材で形成され、蓋体８は、通気性を有しない非通気層例えばアルミニウム板８ｃで形成されていてもよい。なお、図５（ｅ）に示すように、箱本体４の通気性を有する通気層例えば桐材４ａは、蓋体８との間にのみ有する形状としてもよい。ここで、図５（ｅ）の場合には、箱本体４の通気性を有する通気層例えば桐材４ａは、通気性を有しない非通気層例えばアルミニウム板８ｃと一体で形成してもよいし、分離できる別部材としてもよい。図５（ｄ）の保存ケース２は、箱本体４の外部が桐材で形成されるので、図５（ｅ）の保存ケースと比べて軽量化できる。図５（ｅ）の保存ケースは、図５（ｂ），（ｃ）の保存ケースと同様に、箱本体４と蓋体８の外部がアルミニウ板４ｃ，８ｃで形成されるので、桐材４ａ，８ｂと比較すれば、外部は強固で、傷つきにくい。
【００６３】
（７）保存ケース単体
上記実施形態では、保存ケース２の箱本体２に調湿剤１４ａ，１４ｂと仕切り板１６，１８と弾性ベルト２０ａ，２０ｂが設けられていたが、これには限らない。
【００６４】
温度変化が小さいような環境下では、図６に示すように上記実施形態から調湿剤１４ａ，１４ｂと仕切り板１６，１８と弾性ベルト２０ａ，２０ｂを除いてもよい。調湿剤１４ａ，１４ｂが収納されていないので、調湿剤１４ａ，１４ｂが収納されている場合に比べて調湿効果は劣るものの、これまでの例えば桐の二重箱のような保存ケースに比べて文化財などの保存対象物を劣化させる大きな要因である外部の湿度変化に対して保存ケース内部の湿度変化を緩和させることができる。また、金属や合成樹脂等の材料で一体に形成された保存ケースに比べて、外部の温度変化に対して保存ケース内部の加圧状態・減圧状態の繰り返しを防止できる。また、蓋体８の上部に図示されない重しを載せたり、保存ケース２を積み重ねれば、弾性ベルト２０ａ，２０ｂに近い効果を期待できる。
【００６５】
（８）蓋体と箱本体の構造バリエーション
上記実施形態では、蓋体８が箱本体４と同様な開口部８０６を有する箱形状であったが、これには限らない。図３（ａ）に示すように蓋体８が平面な板形状でもよい。このような、保存ケース２は、図３（ｂ）に示すように、弾性ベルト２０ｃ，２０ｄによって箱本体４の開口部６の周縁６ａに蓋体８を圧接させることによって、箱本体４と蓋体８の間で空間や間隙が発生することを防止できる。
【００６６】
また、図４（ａ）に示すように蓋体８が箱本体４の４側部の内側に入り込む構造としてもよい。この保存ケース（２）は、蓋体８に蝶番２６ａ，２６ｂを設けて蓋体８を箱本体４に対して回転可能な構造にして、蓋体８と本体４に面ファスナー２４ａ，２４ｂを設けて箱本体４の開口部６の周縁６ａに蓋体８を圧接させることによって、箱本体４と蓋体８の間で空間や間隙が発生することを防止できる。なお、蓋体８が箱本体４の４側部の内側に入り込む構造をいわゆる楔形状とすることで一層箱本体４と蓋体８の間で空間や間隙が発生することを防止できる。
【００６７】
さらに、図７、図８において蓋体と箱本体の構造バリエーションの他の実施形態を示すが、調湿剤１４ａ，１４ｂと仕切り板１６，１８と弾性ベルト２０ａ，２０ｂを省略して説明する。図７（ａ）に示すように蓋本体８の４側部の内側に凸部２８を設け、箱本体４の４側部の外側には凹部３０を設けて、凸部２８と凹部３０の弾性によって嵌め込む構造としてもよいし、図７（ｂ）に示すように蓋体８の４側部の内側に凹部３２を設け、箱本体４の４側部の外側には凸部３４を設けて、凹部３２と凸部３４の弾性によって嵌め込む構造としてもよい。さらに、図７（ｃ）に示すように蓋体８が箱本体４の４側部の内側に入り込み、蓋体８の４側部の外側に凸部３６を設け、箱本体４の４側部の内側には凹部３８を設けて、凸部３６と凹部３８の弾性によって嵌め込む構成としてもよいし、図７（ｄ）に示すように蓋体８が箱本体４の４側部の内側に入り込み、蓋体８の４側部の外側に凹部４０を設け、箱本体４の４側部の内側には凸部４２を設けて、凹部４０と凸部４２の弾性によって嵌め込む構造としてもよい。なお、図７（ｃ），（ｄ）において、蓋体８が箱本体４の４側部の内側に入り込む構造をいわゆる楔形状とすることで一層箱本体４と蓋体８の間で空間や間隙が発生することを防止できる。
【００６８】
さらに、図８（ａ）に示すように蓋本体８の２側部の内側に凸部４４ａ，４４ｂを設け、箱本体４の２側部の外側に凹部４６ａ，４６ｂを設けて、蓋体８の凸部４４ａ，４４ｂと箱本体４の凹部４６ａ，４６ｂを合わせて押し込む構造としてもよいし、図８（ｂ）に示すように蓋本体８の２側部の内側に凹部４８ａ，４８ｂを設け、箱本体４の２側部の外側に凸部５０ａ，５０ｂを設けて、蓋体８の凹部４８ａ，４８ｂと箱本体４の凸部５０ａ，５０ｂを合わせて押し込む構造としてもよい。そして、図８（ｃ）に示すように平板形状の蓋本体８の２側部の外側に凸部５２ａ，５２ｂを設け、箱本体４の２側部の内側に凹部５４ａ，５４ｂを設けて、蓋体８の凸部５２ａ，５２ｂと箱本体４の凹部５４ａ，５４ｂを合わせて押し込む構造としてもよいし、図８（ｄ）に示すように平板形状の蓋本体８の２側部の外側に凹部５６ａ，５６ｂを設け、箱本体４の２側部の内側に凸部５８ａ，５８ｂを設けて、蓋体８の凹部５６ａ，５６ｂと箱本体４の凸部５８ａ，５８ｂを合わせて押し込む構造としてもよい。
【図面の簡単な説明】
【００６９】
【図１】（ａ）は本実施形態の保存ケースにおいて、調湿剤と仕切り板を収納した箱本体と蓋体を示す斜視図であり、（ｂ）は本実施形態の保存ケースにおいて、弾性ベルトを装着した全体を示す斜視図であり、（ｃ）は（ｂ）のＡ−Ａ線における断面図である。
【図２】（ａ）は本実施形態の保存ケースにおいて、調湿剤４０ｇ，６０ｇを収納した場合と桐箱のみの場合の経過日数に対する湿度変化を示す図であり、（ｂ）は本実施形態の保存ケースにおいて、調湿剤１００ｇ，１６０ｇを収納した場合と桐箱のみの場合の経過日数に対する湿度変化を示す図である。
【図３】（ａ）は他の実施形態（１）の保存ケースにおいて、調湿剤と仕切り板を収納した箱本体と蓋体を示す斜視図であり、（ｂ）は本実施形態の保存ケースにおいて、弾性ベルトを装着した全体を示す斜視図であり、（ｃ）は（ｂ）のＢ−Ｂ線における断面図である。
【図４】（ａ）は他の実施形態（２）の保存ケースにおいて、調湿剤と仕切り板を収納した箱本体と蓋体を示す斜視図であり、（ｂ）は本実施形態の保存ケースにおいて、面ファスナーで蓋体を閉じた全体を示す斜視図であり、（ｃ）は（ｂ）のＣ−Ｃ線における断面図である。
【図５】（ａ）は他の実施形態（３〜６）の保存ケースの全体を示す斜視図であり、（ｂ）は他の実施形態（３）のＤ−Ｄ線における断面図であり、（ｃ）は他の実施形態（４）のＤ−Ｄ線における断面図であり、（ｄ）は他の実施形態（５）のＤ−Ｄ線における断面図であり、（ｅ）は他の実施形態（６）のＤ−Ｄ線における断面図である。
【図６】（ａ）は本実施形態の保存ケースの箱本体と蓋体を示す斜視図であり、（ｂ）は本実施形態の保存ケースの全体を示す斜視図であり、（ｃ）は（ｂ）のＥ−Ｅ線における断面図である。
【図７】（ａ）は他の実施形態（７）の保存ケースの箱本体と蓋体を示す斜視図であり、（ｂ）は他の実施形態（８）の保存ケースの全体を示す斜視図であり、（ｃ）は他の実施形態（９）の保存ケースの全体を示す斜視図であり、（ｄ）は他の実施形態（１０）の保存ケースの全体を示す斜視図である。
【図８】（ａ）は他の実施形態（１１）の保存ケースの箱本体と蓋体を示す斜視図であり、（ｂ）は他の実施形態（１２）の保存ケースの全体を示す斜視図であり、（ｃ）は他の実施形態（１３）の保存ケースの全体を示す斜視図であり、（ｄ）は他の実施形態（１４）の保存ケースの全体を示す斜視図である。
【符号の説明】
【００７０】
２…保存ケース、４…箱本体、４０１，４０２，８０１，８０２…短辺側部、４０３，４０４，８０３，８０４…長辺側部、４０５…底部、８０５…上部、６，８０６…開口部、６ａ…周縁、８…蓋体、４ａ，４ｂ，８ａ，８ｂ…通気層、４ｃ，８ｃ…非通気層、１４ａ〜１４ｆ，１４ｈ…調湿剤、１６，１８，１９，２３…仕切り板、１６ａ〜１６ｅ，１８ａ〜１８ｅ，１９ａ，２３ａ…通気穴、２０ａ，２０ｂ，２０ｃ，２０ｄ…弾性ベルト、２４ａ，２４ｂ…面ファスナー、２６ａ，２６ｂ…蝶番、２８，３４，３６，４２，４４ａ，４４ｂ，５０ａ，５０ｂ，５２ａ，５２ｂ，５８ａ，５８ｂ…凸部、３０，３２，３８，４０,４６ａ，４６ｂ，４８ａ，４８ｂ，５４ａ，５４ｂ，５６ａ，５６ｂ…凹部
【図１】
0003111650.tif 000003
【図３】
0003111650.tif 000004
【図４】
0003111650.tif 000005
【図５】
0003111650.tif 000006
【図６】
0003111650.tif 000007
【図７】
0003111650.tif 000008
【図８】
0003111650.tif 000009
【図２】
0003111650.tif 000010